(57)【要約】ブラシ１１は、複数の第１糸１２ａにより所定方向へ延びるように帯状に形成された毛羽部１２と、各第１糸１２ａとは異なる第２糸１３ａにより毛羽部１２の長手方向に沿って延びるように帯状に形成された取付部１３とを備える。そして、毛羽部１２と取付部１３とは、それらの短手方向において一対の連結糸１４により編まれることによって互いに連結されている。
2009081481.tif 000002
【特許請求の範囲】
【請求項１】
第１糸により所定方向へ延びるように帯状に形成された毛羽部と、
第２糸により前記毛羽部の長手方向に沿って延びるように帯状に形成された取付部とを備え、
前記毛羽部と前記取付部とは、それらの短手方向において互いに連結されていることを特徴とするブラシ。
【請求項２】
前記第２糸は、熱によって溶融する熱溶融糸を含んでなる撚糸によって構成されていることを特徴とする請求項１に記載のブラシ。
【請求項３】
前記毛羽部と前記取付部とは、熱によって溶融する熱溶融糸を含んでなる撚糸によって編まれることで互いに連結されていることを特徴とする請求項１または請求項２に記載のブラシ。
【請求項４】
前記取付部は、前記毛羽部の長手方向に沿って蛇行状に延びる１本の前記第２糸によって構成されていることを特徴とする請求項１〜請求項３のうちいずれか一項に記載のブラシ。
【請求項５】
前記取付部の短手方向における前記毛羽部側とは反対側の端部は、該取付部の長手方向に沿うように、熱によって溶融する熱溶融糸を含んでなる撚糸によって編まれていることを特徴とする請求項４に記載のブラシ。
【発明の詳細な説明】
【技術分野】
【０００１】
本発明は、取付部を有するブラシに関する。
【背景技術】
【０００２】
従来、この種のブラシとして、特許文献１に記載の静電気除去ブラシが知られている。この特許文献１の静電気除去ブラシは、並列に配置された複数の導電性繊維により所定方向に沿って帯状に延びるように形成された毛羽部を有している。毛羽部において、複数の導電性繊維の一端は熱接着性溶融糸によって編まれている。さらに、毛羽部は、その導電性繊維の一端が熱接着性溶融糸とともにアルミニウム薄板で覆われた状態で該アルミニウム薄板に熱接着性溶融糸が融着することによってアルミニウム薄板と一体化されている。そして、特許文献１の静電気除去ブラシは、毛羽部と一体化されたアルミニウム薄板の取付部が導電体に対して面接触状態で取り付けられるようになっている。【０００３】
しかしながら、特許文献１の静電気除去ブラシでは、アルミニウム薄板が導電体に面接触状態で取り付けられるため、導電体の形状が複雑な曲面であった場合には、その曲面にアルミニウム薄板を十分に追従させて曲げ変形することが困難な場合がある。このため、こうした場合には、特許文献１の静電気除去ブラシを、アルミニウム薄板を省略した状態で、毛羽部のみを導電体に取り付けることが考えられる。【０００４】
特許文献１の静電気除去ブラシにおいて、アルミニウム薄板を省略すると、導電体の形状に対するブラシの追従性は向上する。しかしながら、導電体に接着部材が使用できなかったり突起などの障害物があったりした場合には、静電気除去ブラシの毛羽部にねじ止めするための透孔を設けたり、障害物を回避するために静電気除去ブラシの毛羽部を部分的に切除したりする必要がある。【０００５】
そして、そのように毛羽部に透孔を設けたり部分的な切除を施したりすると、その透孔や切除部分から導電性繊維がほつれたり抜け落ちたりして該静電気除去ブラシの寿命が短くなってしまうという問題があった。
【特許文献１】実開昭６３−１９６６００号公報（図７及び図８）
【発明の開示】
【０００６】
本発明は、このような課題に着目してなされたものである。その目的とするところは、寿命を短くすることなく、取付部に透孔を設けたり取付部を部分的に切除したりすることが可能なブラシを提供することにある。
【０００７】
上記の目的を達成するために、本発明のブラシは、第１糸により所定方向へ延びるように帯状に形成された毛羽部と、第２糸により前記毛羽部の長手方向に沿って延びるように帯状に形成された取付部とを備え、前記毛羽部と前記取付部とは、それらの短手方向において互いに連結されていることを要旨とする。
【０００８】
上記構成によれば、毛羽部と取付部とが別々の糸によってそれぞれ構成されているので、取付部にねじ止め用の透孔を形成したり、取付部を取り付け場所の形状に合わせて部分的に切除したりしても、透孔や切除部分から毛羽部を構成する第１糸がほつれたり抜け落ちたりすることがない。したがって、ブラシの寿命を短くすることなく、取付部に透孔を設けたり取付部を部分的に切除したりすることが可能となる。
【０００９】
本発明のブラシは、前記第２糸が、熱によって溶融する熱溶融糸を含んでなる撚糸によって構成されていることが好ましい。
上記構成によれば、取付部を熱プレスした後に冷却することで、取付部を構成する第２糸が溶融した後に固化するため、取付部の剛性が高くなる。この結果、取付部の形状安定性が向上するため、取付部に透孔を形成するための加工を容易に行うことが可能となる。
【００１０】
本発明のブラシは、前記毛羽部と前記取付部とが、熱によって溶融する熱溶融糸を含んでなる撚糸によって編まれることで互いに連結されていることが好ましい。
上記構成によれば、毛羽部と取付部との連結部分を熱プレスした後に冷却することで、熱溶融糸が溶融した後に固化するため、毛羽部と取付部とを強固に連結することが可能となる。
【００１１】
本発明のブラシは、前記取付部が、前記毛羽部の長手方向に沿って蛇行状に延びる１本の前記第２糸によって構成されていることが好ましい。
上記構成によれば、取付部の短手方向における両端部に第２糸による複数のＵ字状の湾曲部が形成される。このため、取付部の短手方向における両端部を該取付部の長手方向に沿って撚糸で編むことで、取付部に透孔を設けたり取付部を部分的に切除したりすることによって切断された第２糸が撚糸から脱落しようとした場合に、該第２糸の湾曲部が該撚糸によって係止される。このため、取付部における透孔や切除部分から取付部を構成する第２糸がほつれたり抜け落ちたりすることを好適に抑制することが可能となる。
【００１２】
本発明のブラシでは、前記取付部の短手方向における前記毛羽部側とは反対側の端部が、該取付部の長手方向に沿うように、熱によって溶融する熱溶融糸を含んでなる撚糸によって編まれていることが好ましい。
【００１３】
上記構成によれば、取付部を熱プレスした後に冷却することで、熱溶融糸が溶融した後に固化するため、取付部の短手方向における毛羽部とは反対側の端部の剛性が高くなる。この結果、取付部の形状安定性がより一層向上するため、取付部に透孔を形成するための加工をより一層容易に行うことが可能となる。
【図面の簡単な説明】
【００１４】
【図１】実施形態におけるブラシの斜視図。
【図２】同ブラシの拡大平面図。
【図３】変更例１におけるブラシの拡大平面図。
【図４】変更例２におけるブラシの拡大平面図。
【図５】変更例３におけるブラシの拡大平面図。
【発明を実施するための最良の形態】
【００１５】
以下、本発明を具体化した一実施形態を図面に基づいて説明する。
図１に示すように、ブラシ１１は、複数の第１糸１２ａによって構成された毛羽部１２と、第１糸１２ａとは異なる１本の第２糸１３ａによって構成された取付部１３とを備えており、全体として帯状をなしている。毛羽部１２は所定方向に沿って規則的に並列して配置されたＵ字状をなす複数の第１糸１２ａを帯状に配置することによって形成され、取付部１３は１本の第２糸１３ａを毛羽部１２の長手方向に沿って蛇行状に配置することで帯状をなすように形成されている。【００１６】
各第１糸１２ａは、繊度が１６７０デシテックス／１２フィラメントのポリエステル製の糸によって構成されている。一方、第２糸１３ａは、繊度が２５０デシテックス／５フィラメントのポリアミド製の糸と、繊度が３３５デシテックス／２４フィラメントで熱溶融性を有するポリアミド製の糸（熱溶融糸）とを撚ってなる撚糸によって構成されている。【００１７】
図２に示すように、取付部１３の短手方向における両端部には、第２糸１３ａが蛇行によって繰り返し湾曲することによってＵ字状をなす複数の湾曲部１３ｂが形成されている。そして、取付部１３の短手方向における両端部のうちの一方の端部１３ｃと、毛羽部１２の短手方向における各第１糸１２ａのＵ字状に湾曲された側の端部１２ｂとは、互いに重ね合わされている。その状態で取付部１３の端部１３ｃと毛羽部１２の端部１２ｂとが、ブラシ１１の長手方向に沿って直線状に延びる一対の第１連結糸１４によって編まれることで連結されている。【００１８】
一対の第１連結糸１４は、帯状に並列して配置された各第１糸１２ａを一体となるように該各第１糸１２ａ同士を互いに連結しているとともに、各第１糸１２ａによって構成された毛羽部１２と第２糸１３ａによって構成された取付部１３とを連結している。【００１９】
また、取付部１３の短手方向における毛羽部１２とは反対側の端部１３ｄは、ブラシ１１の長手方向に沿って直線状に延びる一対の第２連結糸１５によって編まれている。各第１連結糸１４及び各第２連結糸１５は、繊度が７８デシテックス／１７フィラメントのポリアミド製の糸と、繊度が３３５デシテックス／２４フィラメントで熱溶融性を有するポリアミド製の糸（熱溶融糸）とを撚ってなる撚糸によって構成されている。【００２０】
そして、上記のように構成されたブラシ１１では、製造時に、熱溶融糸が溶融する程度の温度で熱をかけながらプレスを行う熱プレス加工が行われるため、第２糸１３ａ、各第１連結糸１４、及び各第２連結糸１５にそれぞれ含まれる熱溶融糸が溶融する。そして、熱プレス加工された後に自然冷却されると、溶融していた熱溶融糸がそれぞれ固化する。【００２１】
これにより、第２糸１３ａと各第１連結糸１４とが融着するため、毛羽部１２と取付部１３とが強固に連結される。加えて、第２糸１３ａ、各第１連結糸１４、及び各第２連結糸１５にそれぞれ含まれる熱溶融糸が一旦溶融して固化することで、これらの剛性が高まるため、取付部１３の形状安定性は高くなる。【００２２】
次に、ブラシ１１の用途及びその作用について説明する。
ブラシ１１は、例えば、自動車、重機、農業機械などの内装において意匠性の悪い部分や隙間などを隠すためのブラインド材として取り付けて使用される。ブラシ１１をねじによって取り付ける場合には、図２に２点鎖線で示すように、取付部１３にねじを通すための透孔１６が設けられる。このとき、取付部１３にプレスによる孔加工を施すことによって透孔１６を設けると、取付部１３を構成する第２糸１３ａの一部が切除されるが、毛羽部１２を構成する各第１糸１２ａが切断されることはない。このため、取付部１３に孔加工を行っても、該孔加工によって毛羽部１２を構成する各第１糸１２ａがほつれたり抜け落ちたりすることはなく、該孔加工によってブラシ１１の寿命が短くなることがない。【００２３】
このとき、取付部１３の短手方向における両端部１３ｃ，１３ｄには第２糸１３ａによって湾曲部１３ｂが形成されているため、取付部１３の孔加工によって切断された第２糸１３ａの一部が透孔１６からほつれたり抜け落ちたりしようとした場合には、湾曲部１３ｂが各第１連結糸１４及び各第２連結糸１５によって係止される。したがって、取付部１３における透孔１６から取付部１３を構成する第２糸１３ａがほつれたり抜け落ちたりすることが好適に抑制される。【００２４】
また、例えば、長尺のブラシ１１の取付部１３の裏面を両面粘着テープによって取り付け面に貼り付ける場合には、取付部１３における長手方向の両端部に透孔１６をそれぞれ設け、該透孔１６においてブラシ１１を仮止めピンなどで取り付け面に仮止めしてから取付部１３を両面粘着テープによって取り付け面に貼り付ければよい。このようにすれば、ブラシ１１の取付部１３を両面粘着テープによって取り付け面に正確に貼り付けることができる上、その貼り付け作業性も向上する。【００２５】
また、ブラシ１１は、例えば、レーザープリンタやコピー機などの画像形成装置における感光ドラム、転写ローラ、転写ベルト、あるいは用紙などの被除電体の除電を行うための除電ブラシとしても使用される。この場合、ブラシ１１は、毛羽部１２が被除電体に摺接するように、取付部１３が画像形成装置内に取り付けられる。このとき、ブラシ１１の取付部１３が画像形成装置内の他の部品や画像形成装置内における取付部１３の取り付け面に設けられたリブなどの突起と干渉する場合には、図２に１点鎖線で示すように、取付部１３における干渉部分１７を切除することで、こうした干渉が解消される。この場合においても、上述した取付部１３に孔加工を施す場合と同様に、毛羽部１２を構成する各第１糸１２ａが切断されることはない。【００２６】
以上詳述した実施形態によれば次のような効果が発揮される。
（１）毛羽部１２と取付部１３とが別々の糸によってそれぞれ構成されている。すなわち、毛羽部１２は各第１糸１２ａにより構成されるとともに、取付部１３は各第１糸１２ａとは異なる第２糸１３ａにより構成されている。このため、取付部１３にねじ止め用の透孔１６を形成したり、他の部品と干渉する干渉部分１７を取付部１３から切除したりしても、毛羽部１２を構成する各第１糸１２ａには何ら影響がないので、取付部１３における透孔１６や切除部分から毛羽部１２を構成する各第１糸１２ａがほつれたり抜け落ちたりすることを抑制することができる。したがって、ブラシ１１の寿命を短くすることなく、取付部１３に透孔１６を設けたり取付部１３の干渉部分１７を切除したりすることができる。【００２７】
（２）取付部１３を構成する第２糸１３ａが、熱によって溶融する熱溶融糸を含んでなる撚糸によって構成されている。このため、ブラシ１１を熱プレスした後に冷却することで、取付部１３を構成する第２糸１３ａが溶融した後に固化するため、該取付部１３の剛性を高めることができる。この結果、取付部１３の形状安定性を向上することができるので、取付部１３に透孔１６を形成するための加工や取付部１３の干渉部分１７を切除するための加工を容易に行うことができる。【００２８】
（３）毛羽部１２と取付部１３とが熱によって溶融する熱溶融糸を含んでなる撚糸（各第１連結糸１４）によって編まれることで互いに連結されている。このため、熱プレスした後に冷却することで、熱溶融糸が溶融した後に固化するため、毛羽部１２と取付部１３とを強固に連結することができる。【００２９】
（４）ブラシ１１の取付部１３は該ブラシ１１の長手方向に沿って蛇行状に延びる１本の第２糸１３ａによって構成されているため、取付部１３の短手方向における両端部１３ｃ，１３ｄに第２糸１３ａによる湾曲部１３ｂが形成される。加えて、取付部１３の短手方向における両端部１３ｃ，１３ｄが該取付部１３の長手方向に沿って各第１連結糸１４及び各第２連結糸１５によりそれぞれ編まれている。したがって、取付部１３の孔加工によって切断された第２糸１３ａの一部が透孔１６からほつれたり抜け落ちたりしようとした場合には、湾曲部１３ｂを各第１連結糸１４及び各第２連結糸１５によって係止することができる。この結果、取付部１３における透孔１６から取付部１３を構成する第２糸１３ａがほつれたり抜け落ちたりすることを好適に抑制することができる。【００３０】
（５）取付部１３の短手方向における毛羽部１２とは反対側の端部１３ｄが、該取付部１３の長手方向に沿うように、熱によって溶融する熱溶融糸を含んでなる撚糸（各第２連結糸１５）によって編まれている。このため、熱プレスした後に冷却することで、熱溶融糸が溶融した後に固化するため、取付部１３の端部１３ｄの剛性を高めることができる。この結果、取付部１３の形状安定性をより一層向上することができ、取付部１３に透孔１６を形成するための加工をより一層容易に行うことができる。【００３１】
（６）ブラシ１１は、従来とは異なり、取付部１３に金属板を使用しないため、ブラシ１１の取り付け対象物における取り付け面に対する追従性を十分に確保することができるとともに、製造コストの上昇を抑えることができる。【００３２】
（変更例）
なお、上記実施形態は、次のように変更して具体化することも可能である。
・ブラシ１１において、毛羽部１２と取付部１３とを連結する各連結糸１４は、必ずしも熱溶融糸を含んでいる必要はない。【００３３】
・ブラシ１１において、取付部１３を構成する第２糸１３ａは、必ずしも熱溶融糸を含んでいる必要はない。
・ブラシ１１において、取付部１３と毛羽部１２とを、各連結糸１４の代わりに柔軟性を有する接着剤による接着あるいは両面粘着テープなどによって連結してもよい。【００３４】
・ブラシ１１において、取付部１３は、第２糸１３ａで編んだ帯状の編物または第２糸１３ａで織った帯状の織布によって構成してもよい。この場合、取付部１３と毛羽部１２とは、柔軟性を有する接着剤による接着あるいは両面粘着テープなどにより接合される。【００３５】
・取付部１３を構成する第２糸１３ａは、マルチフィラメントであれば、その材質はブラシ１１の用途に応じてポリアミド以外の任意の合成樹脂（例えば、ポリエチレンテレフタレート、ポリエステル、ポリアセタールなど）に適宜変更してもよい。この場合、第２糸１３ａの繊度も、ブラシ１１の用途に応じて適宜設定すればよい。【００３６】
・毛羽部１２を構成する各第１糸１２ａは、マルチフィラメントであれば、その材質はブラシ１１の用途に応じてポリエステル以外の任意の合成樹脂（例えば、ポリエチレンテレフタレート、ポリアミド、ポリアセタールなど）に適宜変更してもよい。この場合、各第１糸１２ａの繊度も、ブラシ１１の用途に応じて適宜設定すればよい。【００３７】
・毛羽部１２を構成する各第１糸１２ａ及び取付部１３を構成する第２糸１３ａのうち少なくとも一方に導電性を有する導電糸を用いてもよい。これらの糸に導電性を付与する方法としては、原材料の段階でカーボンなどの導電性材料を練りこむ、繊維の表面を金属でコーティングする、あるいは糸そのものを金属で構成するなどの方法がある。このようにすれば、ブラシ１１を画像形成装置内に取り付けた場合における該ブラシ１１の除電効率を飛躍的に高めることができる。この場合、より一層除電効率を高めるためには、第１糸１２ａ及び第２糸１３ａの双方の全てを導電糸で構成することが好ましい。しかしながら、導電糸は、絶縁糸などに比べてコストが高く、ほつれやすいため、こうした観点から状況に応じて該導電糸に絶縁糸や熱溶融糸を適宜合糸してもよい。また、第１糸１２ａ及び第２糸１３ａの双方の全てを導電糸で構成する場合には、必ずしも第１糸１２ａと第２糸１３ａとが同じ材質、同じ抵抗値である必要はない。【００３８】
・図３に示すように、変更例１では各連結糸１５を省略してもよい。また、図４に示すように、変更例２では各連結糸１５を省略するとともに第２糸１３ａの各湾曲部１３ｂを切除してもよい。あるいは、図５に示すように、変更例３では各連結糸１５を省略するとともに毛羽部１２を１本の第１糸１２ａがブラシ１１の長手方向に沿って蛇行状に延びることで帯状をなすように形成してもよい。この場合、毛羽部１２は第１糸１２ａによって形成された複数のループ状をなすループパイルによって構成される。【００３９】
そして、図３〜図５に示したブラシ１１の形態では、取付部１３を毛羽部として機能させることができる。すなわち、ブラシ１１を、毛羽部１２及び取付部１３の双方に被接触体が接触するように、取り付け対象物に取り付けることができる。この場合、ブラシ１１の形態、第１糸１２ａ及び第２糸１３ａの材質は、被接触体の種類などに応じて適宜変更してもよい。
【図１】
2009081481.tif 000003
【図２】
2009081481.tif 000004
【図３】
2009081481.tif 000005
【図４】
2009081481.tif 000006
【図５】
2009081481.tif 000007
【国際調査報告】
2009081481.tif 000008
2009081481.tif 000009
2009081481.tif 000010
2009081481.tif 000011